(57)【要約】【課題】    ペットと共に徒歩圏内のみならず自転車移動圏への移動も容易に行うことができるペット搬送具を提供する。【解決手段】  ペットを収納する収納部１１０及び折畳み可能なカートフレーム１５０を有して構成されたペットカート１００と、自転車１０の前輪上部に取り付ける前籠１８０と、を備え、収納部１１０とカートフレーム１５０は、収納部側に備わる第１コネクタ部材１１６とカートフレーム側に備わる第２コネクタ部材１６３を利用して着脱自在に構成されると共に、前籠１８０にも、当該前籠１８０に収納部１１０を入れた状態で、第１コネクタ部材１１６と結合出来る第３コネクタ部材１８１を備える。【選択図】図１
2013106557.tif 000002
【特許請求の範囲】
【請求項１】
ペットを収納する収納部及び折畳み可能なカートフレームを有して構成されたペットカートと、
自転車の前輪上部に取り付ける前籠と、を備え、
前記収納部と前記カートフレームは、前記収納部側に備わる第１コネクタ部材と前記カートフレーム側に備わる第２コネクタ部材を利用して着脱自在に構成されると共に、
前記前籠にも、当該前籠に前記収納部を入れた状態で、前記第１コネクタ部材と結合出来る第３コネクタ部材が備わる
ことを特徴とするペット搬送具。
【請求項２】
請求項１において、
前記第１コネクタ部材、第２コネクタ部材及び第３コネクタ部材のいずれもが上下方向の雄雌嵌合により相手方と結合可能に構成されている
ことを特徴とするペット搬送具。
【請求項３】
請求項１または２において、
前記収納部が、平面視略矩形の枠体と当該枠体から釣止された袋体を有した構成とされている
ことを特徴とするペット搬送具。
【請求項４】
請求項１〜３のいずれかにおいて、
前記カートフレームは、当該カートフレームを広げた状態で、地面に対して略水平に保持されると共にペットカートの前後方向に沿って間隔を空けて並列配置された２本の水平フレームを備え、
当該水平フレームに対して前記収納部が着脱自在に構成されている
ことを特徴とするペット搬送具。 
【請求項５】
請求項１〜４のいずれかにおいて、
前記収納部は、上部が開口した箱形に構成されると共に当該開口部を覆うように且つ着脱自在に構成されたフード部を備え、
当該フード部が、前記前籠に対しても直接着脱可能に構成されている
ことを特徴とするペット搬送具。
【請求項６】
請求項５において、
前記フード部には、前記第３コネクタ部材と結合可能な第４コネクタ部材が備わる
ことを特徴とするペット搬送具。
【請求項７】
請求項１〜６のいずれかにおいて、
更に、自転車の後輪上部に取り付ける後籠を備え、
当該後籠には、前記収納部を取外し且つ折畳んだ状態の前記カートフレームを掛止するフック部と、掛止した前記カートフレームを保持固定するための固定バンドが備わる
ことを特徴とするペット搬送具。
【発明の詳細な説明】
【技術分野】
【０００１】
本発明は、犬や猫などのペットを搬送するための搬送具の技術分野に関する。
【背景技術】
【０００２】
近年、飼い主とペットの関係がより親密になる傾向にあり、「いつも一緒にいたい」、「どこに行くにも連れて行きたい」といった要望が高まっている。一方、規制緩和も追い風となり、所定の条件を満たせばペットを同伴できる施設や場所も物理的に増加しているのが現状である。
【０００３】
そのような背景の下、ペットを搬送する為に種々の発明がなされている。
【０００４】
特許文献１のペットカートは、ペットを収納できる鞄をカートに対して着脱自在とし、必要に応じて鞄単体で搬送したり、鞄をカートに載置してペットを搬送することが可能な構成とされている。
【０００５】
特許文献２のペット用キャリアは、蓋が付いた袋体と当該袋体に取り付けられた持ち手と、を備え、蓋の一部にペットが顔を出すことが出来る開口が設けられている。これにより、必要に応じてペットを収納した袋体を手で把持したり、ペットを袋体に入れたまま自転車の籠に乗せて搬送することが出来るというものである。
【０００６】
特許文献３のケース取付構造は、自転車の前輪上部に籠の代わりにケース取付枠を取り付けておき、当該ケース取付枠に対して着脱可能なペットケースを取り付けることが出来るというものである。ケース上部には取っ手が備わっているので、必要に応じてペットを収納したケースを手で把持したり、ケース取付枠に取り付けて自転車で目的地まで行くことが可能とされている。
【０００７】
特許文献４のペットカート及びバッグは、ペットを収納するバッグをカートに対して着脱自在に構成し、取り外したバッグを自動車の椅子に載置してシートベルトで固定することが出来るという構造である。
【０００８】
なお、特に首都圏をはじめとした都市部においては、ある程度の距離範囲（例えば半径１．５〜７ｋｍ程度圏内：以下「自転車移動圏」という。）であれば車で移動するよりも自転車での移動が便利である。自転車であれば運転免許も不要であるし、目的地で駐車場を確保する必要も無く駐車料金もかからない。更に「自動車離れ」が叫ばれる昨今においては、そもそも自動車を所有していない場合も多い。このような現状が存在している。
【先行技術文献】
【特許文献】
【０００９】
【特許文献１】特開２００４−１６６５９９号公報
【特許文献２】特開２００６−２８０２４０号公報
【特許文献３】実開平１−１３２４９０号公報
【特許文献４】特開２００６−２５４８０１号公報
【発明の概要】
【発明が解決しようとする課題】
【００１０】
確かに特許文献１のペットカートであれば、必要に応じて鞄単体で搬送したり、鞄をカートに載置してペットを搬送することが可能である。しかし鞄単体やカートでの移動では自転車移動圏への移動は労力もかかるし時間も必要である。また鞄単体でペットを搬送した場合、目的地での搬送にカートを使用することが出来ないので、不便であるし何より体力を消耗してしまう。
【００１１】
また特許文献２のペット用キャリアであれば、必要に応じて袋体にペットを収納したまま自転車の籠に乗せて搬送することが出来るので、自転車移動圏への移動は特に苦労なく行うことができる。しかし袋体を単に自転車籠に入れているだけであるから、急ブレーキや急ハンドルによってペットが袋体ごと籠から投げ出されてしまうという危険性がある。更にペットが突然暴れ出したような場合もペットが袋体ごと籠から飛び出てしまうという危険性もある。加えて、自転車を使って目的地に到着した後、現地を散策等する場合には、（そもそもカート等が無いので）袋体を手に提げてペットを搬送するしか搬送手段が無く、不便であり且つ体力を消耗する。
【００１２】
また特許文献３のケース取付構造は、自転車の前輪上部に籠の代わりにケース取付枠を取り付けておき、当該ケース取付枠に対して着脱可能なペットケースを取り付けることが出来るので、上記した「ペットが籠から投げ出されてしまうという危険性」は回避出来る。しかし、ペットの搬送を行わないような場合に、通常の自転車の籠としての役目を果たすことが出来ないので自転車として不便である。また自転車を使って目的地に到着した後、現地を散策等する場合には、（そもそもカート等が無いので）ケースを手に提げてペットを搬送するしか搬送手段が無く、不便であり且つ体力を消耗するという点に関しては同様である。
【００１３】
また特許文献４のペットカート及びバッグの場合、ペットを収納するバッグをカートに対して着脱自在に構成し、取り外したバッグを自動車の椅子に載置してシートベルトで固定することが出来るが、そもそも自動車を所有していない場合や、自転車での移動が便利な地域への移動には不適である。もちろんバッグをカートから取り外して自転車の籠に入れて搬送することは可能であるが、その場合は上記した「ペットが籠から投げ出されてしまうという危険性」が伴うこととなる。
【００１４】
本発明は、これらの問題点を一挙に解決するべくなされた発明である。
【課題を解決するための手段】
【００１５】
上記課題を解決するべく、本願発明は、ペットを収納する収納部及び折畳み可能なカートフレームを有して構成されたペットカートと、自転車の前輪上部に取り付ける前籠と、を備え、前記収納部と前記カートフレームは、前記収納部側に備わる第１コネクタ部材と前記カートフレーム側に備わる第２コネクタ部材を利用して着脱自在に構成されると共に、前記前籠にも、当該前籠に前記収納部を入れた状態で、前記第１コネクタ部材と結合出来る第３コネクタ部材が備わっている。
【００１６】
このような構成を採用したことによって、徒歩圏内はカートを利用して自由に移動することができ、更に自転車移動圏においても、収納部を取り外して自転車の前籠側に取り付けることで苦労なく移動することができる。この時、収納部と前籠とは第１、第３コネクタ部材で連結されているので、急ブレーキや急ハンドル等でもペットが外に投げ出されてしまう危険性は無い。加えて収納部を取り外したペットカートを折り畳み、自転車の例えば後荷台に載せて目的地まで持っていけば、現地で再び収納部をペットカート側に取り付けて搬送することが出来る。なお、自転車でペットを搬送しないときは前籠に通常通り荷物を入れることが出来るので、自転車の機能性を阻害することもない。
【００１７】
また、前記第１コネクタ部材、第２コネクタ部材及び第３コネクタ部材全てを上下方向の雄雌嵌合により相手方と結合可能に構成してもよい。
【００１８】
このように構成すれば、カートフレームや前籠に対する収納部の着脱を容易に行うことが出来る。
【００１９】
また、前記収納部を、平面視略矩形の枠体と当該枠体から釣止された袋体を有した構成としてもよい。
【００２０】
このように構成すれば、深さや幅等が多少異なる前籠に対しても単一の収納部で対応することが可能となる。また、前籠に多少の荷物が入っていても対応する事ができる。更にカートフレームに収納部を取り付けたままでもカートを折り畳むことが出来るのでカート自体を収納したり搬送等する場合に至極便利である。
【００２１】
また、前記カートフレームを、当該カートフレームを広げた状態で、地面に対して略水平に保持されると共にペットカートの前後方向に沿って間隔を空けて並列配置された２本の水平フレームを備え、当該水平フレームに対して前記収納部を着脱自在に構成してもよい。
【００２２】
このように構成すれば、コネクタ部の接続さえ解けば前後方向に容易に収納部を移動させてカートフレームから取り外すことが出来る。即ち、収納部を上方に大きく持ち上げることなく収納部を取り外すことが出来るので、女性や高齢者など非力な者であってもペットを収納したまま収納部の着脱を容易に行うことが出来る。
【００２３】
また、前記収納部を、上部が開口した箱形に構成されると共に当該開口部を覆うように且つ着脱自在に構成されたフード部を備え、当該フード部を、前記前籠に対しても直接着脱可能に構成してもよい。
【００２４】
このように構成すれば、天候に応じてフード部の着脱が行えるので、ペットに対してより快適な環境を提供することができる。更にフード部だけを前籠に取り付けることが出来るので、前籠を簡易的なペット搬送具として利用することが可能となる。
【００２５】
また、前記フード部に、前記第３コネクタ部材と結合可能な第４コネクタ部材を備えるように構成してもよい。
【００２６】
このように構成すれば、前籠に備わる第３コネクタ部材をそのまま利用して着脱を行うことが出来るので便利である。
【００２７】
また、更に、自転車の後輪上部に取り付ける後籠を備え、当該後籠には、前記収納部を取外し且つ折畳んだ状態の前記カートフレームを掛止するフック部と、掛止した前記カートフレームを保持固定するための固定バンドが備わるように構成してもよい。
【００２８】
このように構成すれば、簡単確実にカートフレームを自転車で運ぶことが可能となる。
【発明の効果】
【００２９】
本発明を適用することで、ペットと共に徒歩圏内のみならず自転車移動圏への移動も容易に行うことができ、且つ目的地においてもペットカートを利用してペットの搬送が容易となる。
【図面の簡単な説明】
【００３０】
【図１】本発明に係るペット搬送具の概略構成図である。
【図２】フード部を取り外した状態のペットカートの全体斜視図である。
【図３】カートフレームの全体斜視図である。
【図４】フード部を構成するフレームの全体斜視図である。
【図５】自転車前輪上部に固定した前籠の全体斜視図である。
【図６】カートフレームを折り畳んだ状態図である。
【図７】収納部を構成する枠体の全体斜視図である。
【図８】前籠に対して収納部を取り付ける状態を示した図である。
【図９】前籠に収納部を取り付けてフード部を閉じた状態を示した図である。
【図１０】自転車後輪上部に取り付けた後籠の全体斜視図である。
【図１１】後籠に折り畳んだカートフレームを取り付けた状態を示した図である。
【発明を実施するための形態】
【００３１】
以下、添付図面を参照しつつ、本発明の実施形態の一例について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００３２】
〈ペット搬送具の構成〉
本発明に係るペット搬送具１は、図１に示すように、ペットを収納する収納部１１０及び折畳み可能なカートフレーム１５０を有して構成されたペットカート１００と、自転車１０の前輪上部に取り付ける前籠１８０と、を備える。
【００３３】
詳細は後述するが、収納部１１０とカートフレーム１５０は、収納部側に備わる第１コネクタ部材１１６とカートフレーム側に備わる第２コネクタ部材１６３を利用して着脱自在に構成されると共に、前籠１８０にも、当該前籠１８０に収納部１１０を入れた状態で、第１コネクタ部材１１６と結合出来る第３コネクタ部材１８１が備わっている。即ち、カートフレーム１５０から取り外した収納部１１０をそのまま前籠１８０にいれて更にコネクタ部材で前籠１８０に対して固定することが出来る構成とされている。
【００３４】
図２に示しているように、収納部１１０は、平面視略矩形の収納部フレーム（枠体）１１４と、当該収納部フレーム１１４から釣止された袋体を有した構成とされている。袋体１１２は、例えば、布で構成されており、線ファスナー（図示していない）によって収納部フレーム１１４に対して着脱可能に構成されている。即ち、季節や天候、気分に応じて自由に着せ替えることが可能な構成とされている。また袋体１１２の底部には取外し可能な底板（図示していない）が備わっている。
【００３５】
収納部フレーム１１４には、図３に示しているように、長手方向略中央にそれぞれ第１コネクタ部材１１６が備わっている。第１コネクタ部材１１６は側面視略小判形状に成形された樹脂製の部材であり、下方に半円板状に突起した凸部１１７を備える。またこの凸部１１７の外側面には一体成形されたロックピン１１８が備わっている。このロックピン１１８を押圧すると奥方へ動くことが可能であるが、押圧を解くと樹脂の可撓性によって手前側に戻るように構成される。また凸部１１７の内側には、アーチ形状に抉られたアーチ部１１９が備わっている。なおこのアーチ部１１９は、後述する水平フレーム１６０や前籠１８０の開口縁部１８０ａが丁度収まる程度の大きさに成形されている。また第１コネクタ部材１１６の上部には、フード部１３０を取り付けるための凹部１２０と、当該凹部１２０の外側に、フード部側に備わるロックピン１４７（この点詳細は後述する。）が嵌合するためのロック穴１２１が設けられている。
【００３６】
また収納部フレーム１１４には、第１コネクタ部材１１６よりも長手方向前方側に、矩形平板形状のロックプレート１２２が備わっている。このロックプレート１２２はピン１２３によって収納部フレーム１１４に対して回転可能に取り付けられると共に、略Ω字形状の切り欠き部１２２ａが形成されている。
【００３７】
フード部１３０は、開閉機構を備えたフードフレーム１４０に対してフード生地が１３２が着脱自在に取り付けられている。フード生地１３２は例えば布で構成されており、３本のフード骨部材１３４を備えている。またフード生地１３２には線ファスナー（図示していない。）が備わっていて、この線ファスナーによってフードフレーム１４０との着脱が実現される。即ち、季節や天候、気分に応じて自由に着せ替えることが可能な構成とされている。
【００３８】
フードフレーム１４０は、図４に示しているように、２つのコ字フレーム１４１、１４２を備える。それぞれのコ字フレーム１４１、１４２の端部には略円盤形状の回動支持プレート１４３、１４４が固定されている。より詳しくは、コ字フレーム１４１の端部には回動支持プレート１４３が固定されており、コ字フレーム１４２の端部には回動支持プレート１４４が固定されている。この２つの回動支持プレート１４３、１４４は重ね合わされた状態で、支持ピン１４５によって軸支されている。また支持ピン１４５の内側１４５ａは回動支持プレート１４３、１４４と同程度の径に成形され、下方に突起部１４６が一体的に成形されている。またこの凸部１４６の外側面には略楕円形状のロックピン１４７が成形されている。このロックピン１４７を押圧すると奥方へ動くことが可能であるが、押圧を解くと樹脂の可撓性によって手前側に戻るように構成されている点は第１コネクタ部材１１６同様である。
【００３９】
また、回動支持プレート１４３、１４４は段階的に所定の角度で位置を固定できる構造を有しており、所謂ノッチ式で段階的にコ字フレーム１４１、１４２同士が成す角度θを可変することが可能である。本実施形態では、角度θの調整範囲は０〜１８０°までとされている。
【００４０】
カートフレーム１５０は、図５に示しているように、地面から略垂直に立脚する２本の後方フレーム１５１と、当該後方フレーム１５１のそれぞれの上端付近から前方へ斜めに伸びた２本の前方フレーム１５２を中心に構成される。後方フレーム１５１と前方フレームとはそれぞれの上端付近で互いに軸支されている。後方フレーム１５１と前方フレーム１５２の途中にはリンク機構１５９が架設されていて、開閉がコントロールされている。
【００４１】
２本の後方フレーム１５１はサブフレーム１５４によってカートの幅方向に連結されている。また同様に、２本の前方フレーム１５２は２本のサブフレーム１５３によってカートの幅方向に連結されている。また、後方フレーム１５１の下端には後輪１７１が備わっている。前方フレーム１５２の下端には前輪１７０が備わっている。なお後輪１７１にはロックレバー１７２が設けられており、当該ロックレバー１７２を足で踏んで押し下げることにより後輪１７１の回転を固定することが出来るように構成されている。
【００４２】
前方フレーム１５２の上部には、当該前方フレーム１５２に沿うように略コ字形状の把持フレーム１５５が取り付けられている。この把持フレーム１５５の上側には例えば発泡ウレタンなどで構成されたグリップ部１５６が設けられている。また把持フレーム１５５は、回動支持部１５８によって前方フレーム１５２に対して回動可能に構成されている。ロックレバー１７２を引くとロック状態が解除されて、把持フレーム１５５は回動支持部１５８を支点として大きく前方（カート前方）に折り畳むことが出来る。
【００４３】
またカートフレーム１５０には、当該カートフレーム１５０を広げた状態で、地面に対して略水平に保持されると共にカートの前後方向に沿って間隔を空けて並列配置された２本の水平フレーム１６０を備える。この水平フレーム１６０は、第１支持フレーム１６１を介して後方フレーム１５１から支持されると共に、第２支持フレーム１６２を介してリンク機構１５９から支持されている。その結果、カートフレーム１５０を折り畳んだ時にはこの水平フレーム１６０は、後方フレーム１５１や前方フレーム１５２と略平行に折り畳まれると共に（図６を参照）、カートフレーム１５０を広げた時は地面と略水平に位置決めされることとなる。
【００４４】
２本の水平フレーム１６０のそれぞれ中程には、樹脂で成形された第２コネクタ部材１６３が装着されている。この第２コネクタ部材は、側面視略半楕円形状に成形されていて、上方に向かって開口した凹部１６４と、側面にはロック穴１６５が設けられている。この凹部１６４は前述した第１コネクタ部材１１６の凸部１１７が丁度嵌合できる形状に成形されている。また凹部１６４に第１コネクタ部材１１６の凸部１１７を嵌合すると、第１コネクタ部材１１６のロックピン１１８が、ロック穴１６５に嵌合して結合がロックされる構成とされている。
【００４５】
前籠１８０は、図７及び図８に示しているように、自転車１０の前輪上部に取り付けることが可能な構造とされており、前籠１８０の前後にそれぞれ一箇所ずつ第３コネクタ部材１８１が備わっている。この第３コネクタ部材１８１は、部材をコ字形状に折り曲げて籠本体に固定したような構造であり、楕円形状のロック穴１８２を備えている。この第３コネクタ部材１８１の中に第１コネクタ部材１１６の凸部１１７を嵌合させると、第１コネクタ部材１１６のロックピン１１８がロック穴１８２に嵌合して結合がロックされる。また前籠１８０の開口縁部１８０ａは、その大きさが収納部フレーム１１４と略同じ大きさに形成されると共に、カートフレーム１５０に備わる水平フレーム１６０の太さと略同じ厚みで且つ上方に円弧状に膨らんだ形状に構成されている。即ち、収納部フレーム１１４に備わる第１コネクタ部材１１６のアーチ部１１９が丁度嵌合出来る形状とされている。なお前籠１８０は、例えば柵状に構成されていてもよいし、メッシュ状に構成されていてもよい。
【００４６】
後籠１９０は、図１０に示しているように、上部が開口した箱形に構成されており、自転車後輪上部に設置固定される。後籠１９０の背面には上下二段にフック部（上側フック１９３、下側フック１９４が設けられている。このフック部１９３、１９４は、収納部１１０を取外し且つ折畳んだ状態のカートフレーム１５０を掛止する為に利用される。また縁の一部に凹部１９２が形成されている。またこの凹部１９２のやや前方位置に上部引掛用ループ１９５が設けられ、その略真下位置に下部引掛用ループ１９６が設けられている。なお符合１９７は固定用バンドであり、フック部１９３、１９４に掛止したカートフレーム１５０を保持固定するために利用される。なお、凹部１９２は、カートフレーム１５０以外のカート類、例えば、他種の折畳式ペットカートの何れかの箇所を当該凹部１９２に引っ掛けるようにして固定する場合に利用することができる。
【００４７】
〈ペット搬送具の作用・機能〉
本発明を構成する前籠１８０と後籠１９０は予め自転車１０に取り付けておく。その上で、徒歩圏内を移動する場合は、収納部１１０をカートフレーム１５０に取り付けてペットカート１００として使用すればペットを楽に搬送することが出来る。ペットは収納部１１０に収納する。なお季節や天候等に応じてフード部１３０を開閉したり、場合により取り外して使用する。
【００４８】
自転車移動圏まで移動したい場合には、収納部１１０をカートフレーム１５０から前籠１８０に取り付け直す。具体的には、ロックプレート１２２を回してロックピン１６０ａとの固定を解除した上で、収納部フレーム１１４を上方に少し持ち上げる。この時、第１コネクタ部材１１６に形成されるロックピン１１８を押すことによって、第１コネクタ部材１１６と第２コネクタ部材１６３のロックが解除される。ここで、水平フレーム１６０は、ペットカート１００の前後方向に沿って間隔を空けて並列配置されているので、第１コネクタ部材1１６と第２コネクタ部材1６３の接続さえ解けば前後方向に容易に収納部１１０を移動させてカートフレーム１５０から取り外すことが出来る。即ち、収納部１１０を上方に大きく持ち上げることなく収納部１１０を取り外すことが出来るので、女性や高齢者など非力な者であってもペットを収納したまま収納部１１０の着脱を容易に行うことが出来る。
【００４９】
取り外した収納部１１０はそのまま前籠１８０の中に入れるように取り付ける。具体的には、第１コネクタ部材1１６の凸部１１７を前籠に備わる第３コネクタ部材1８１に上方から嵌合させるように取り付ける。下まで押し込むと、第１コネクタ部材１１６に形成されているロックピン１１８がロック穴１８２に嵌合して固定される。このように、第１コネクタ部材１１６、第２コネクタ部材１６３及び第３コネクタ部材１８１の全てが上下方向の雄雌嵌合により相手方と結合可能に構成されているので、カートフレーム１５０や前籠１８０に対する収納部１１０の着脱を簡易且つ単純な動作で行うことが出来る。
【００５０】
ここで収納部１１０は、平面視略矩形の収納部フレーム１１４と当該収納部フレーム１１４から釣止された袋体１１２で構成されているので、深さや幅等が多少異なる前籠１８０に対しても単一の収納部１１０で対応することが可能となる。また、前籠１８０に多少の荷物が入っていても対応する事ができる。なおこのような構成を採用しているので、カートフレーム１５０に収納部１１０を取り付けたままでもカートフレーム１５０を折り畳むことが出来、ペットカート１００自体を収納したり搬送等する場合に至極便利である。
【００５１】
一方、収納部１１０を取り外したカートフレーム１５０は、ロック解除レバー１５７を引いて把持フレーム１５５を前方に回動させ且つリンク機構１５９を上方に持ち上げて後方フレーム１５１と前方フレーム１５２とを近づけるように折り畳む。その折畳んだ状態のカートフレーム１５０は、図１０及び図１１に示しているように、後籠１９０に形成されたフック部１９３、１９４に掛止して且つ固定用バンド１９７で固定する。この時、上側フック１９３にはサブフレーム１５４を、下側フック１９４にはグリップ部１５６を掛止させるとガタつきなく固定することが出来る。その上で、固定用バンド１９７を上部引掛用ループ１９５からカートフレーム１５０を介して下部引掛用ループ１９６まで廻して固定することによってより確実な固定を実現している。
【００５２】
自転車１０で目的地まで移動した後は、目的地で上記と逆の手順で前籠１８０から収納部１１０を取り外して、カートフレーム１５０側に取り付け直す。これにより目的地周辺をペットカート１００を利用して容易にペットを搬送することが可能となる。
【００５３】
このように、本願発明により、徒歩圏内はペットカート１００を利用して自由に移動することができ、更に自転車移動圏においても、収納部１１０を取り外して自転車１０の前籠１８０側に取り付けることで苦労なく移動することができる。この時、収納部１１０と前籠１８０とは第１、第３コネクタ部材１１６、１８１で連結固定されているので、急ブレーキや急ハンドル等でもペットが外に投げ出されてしまう危険性は無い。加えて収納部１１０を取り外したカートフレーム１５０を折り畳み、自転車１０の後籠１９０に備わるフック部１９３、１９４に掛止して目的地まで持っていけば、現地で再び収納部１１０をカートフレーム１５０側に取り付けて搬送することが出来る。なお、自転車１０でペットを搬送しないときは前籠１８０に通常通り荷物を入れることが出来るので、自転車１０自体の機能性を阻害することもない。
【００５４】
また、収納部１１０が、上部が開口した箱形に構成されると共に当該開口部を覆うように且つ着脱自在に構成されたフード部１３０を備え、当該フード部１３０が、前籠１８０に対しても直接着脱可能に構成されている。よって、天候に応じてフード部１３０の着脱が行えるので、ペットに対してより快適な環境を提供することができる。更にフード部１３０だけを前籠１８０に取り付けることが出来るので、前籠１８０を簡易的なペット搬送具として利用することも可能となる（収納部１１０はカートフレーム１５０側に残されている。）。この時例えば、フード部１３０に備わる凸部１４６の形状をそのまま前籠１８０の第３コネクタ部材１８１に嵌合出来る形状としておけば、前籠１８０に備わる第３コネクタ部材１８１をそのまま利用して着脱を行うことが出来るので便利である。
【００５５】
〈その他の構成例〉
なお、上記では一般的な自転車を前提に説明しているが、電動式の自転車であっても同様に適用可能である。
【符号の説明】
【００５６】
１・・・ペット搬送具
１０・・・自転車
１００・・・ペットカート
１１０・・・収納部
１１２・・・袋体
１１４・・・収納部フレーム（枠体）
１１６・・・第１コネクタ部材
１１７・・・凸部
１１８・・・ロックピン
１１９・・・アーチ部
１２０・・・凹部
１２１・・・ロック穴
１２２・・・ロックプレート
１２２ａ・・・切り欠き部
１３０・・・フード部
１３２・・・フード生地
１３４・・・フード骨部材
１４０・・・フードフレーム
１４１、１４２・・・コ字フレーム
１４３、１４４・・・回動支持プレート
１４５・・・支持ピン
１４６・・・凸部
１４７・・・ロックピン
１５０・・・カートフレーム
１５１・・・後方フレーム
１５２・・・前方フレーム
１５３、１５４・・・サブフレーム
１５５・・・把持フレーム
１５６・・・グリップ部
１５７・・・ロック解除レバー
１５８・・・回動支持部
１５９・・・リンク機構
１６０・・・水平フレーム
１６０ａ・・・ロックピン
１６１・・・第１支持フレーム
１６２・・・第２支持フレーム
１６３・・・第２コネクタ部材
１６４・・・凹部
１６５・・・ロック穴
１７０・・・前輪
１７１・・・後輪
１７２・・・ロックレバー
１８０・・・前籠
１８０ａ・・・開口縁部
１８１・・・第３コネクタ部材
１８２・・・ロック穴
１９０・・・後籠
１９２・・・凹部
１９３・・・上側フック
１９４・・・下側フック
１９５・・・上部引掛用ループ
１９６・・・下部引掛用ループ
１９７・・・固定用バンド
【図１】
2013106557.tif 000003
【図２】
2013106557.tif 000004
【図３】
2013106557.tif 000005
【図４】
2013106557.tif 000006
【図５】
2013106557.tif 000007
【図６】
2013106557.tif 000008
【図７】
2013106557.tif 000009
【図８】
2013106557.tif 000010
【図９】
2013106557.tif 000011
【図１０】
2013106557.tif 000012
【図１１】
2013106557.tif 000013
【手続補正書】
【提出日】平成24年1月18日(2012.1.18)
【手続補正１】
【補正対象書類名】明細書
【補正対象項目名】００１５
【補正方法】変更
【補正の内容】
【００１５】
上記課題を解決するべく、本願発明は、ペットを収納する収納部及び折畳み可能なカートフレームを有して構成されたペットカートと、自転車の前輪上部に取り付ける前籠と、を備え、前記収納部と前記カートフレームは、前記収納部側に備わる第１コネクタ部材と前記カートフレーム側に備わる第２コネクタ部材を利用して着脱自在に構成されると共に、前記前籠にも、当該前籠に前記収納部を入れた状態でのみ、前記第１コネクタ部材と結合出来る第３コネクタ部材が備わっている。
【手続補正２】
【補正対象書類名】特許請求の範囲
【補正対象項目名】請求項１
【補正方法】変更
【補正の内容】
【請求項１】
ペットを収納する収納部及び折畳み可能なカートフレームを有して構成されたペットカートと、
自転車の前輪上部に取り付ける前籠と、を備え、
前記収納部と前記カートフレームは、前記収納部側に備わる第１コネクタ部材と前記カートフレーム側に備わる第２コネクタ部材を利用して着脱自在に構成されると共に、
前記前籠にも、当該前籠に前記収納部を入れた状態でのみ、前記第１コネクタ部材と結合出来る第３コネクタ部材が備わる
ことを特徴とするペット搬送具。